(57)【要約】【課題】可変のたわみ応力およびせん断応力の固定柱脚を有する羽根間プラットフォームを提供する。【解決手段】固定柱脚８は、連結のためにナット２２を受けることができるように選択された第１の直径Ｄ１を有するねじ切りされた第１の部分１８、および、第２の部分１９を備えたロッド１７を有し、この第２の部分１９は、第１の固定脚６と第２の固定脚１２の間に差し挟まれるために、第１の直径Ｄ１より大きい第２の直径Ｄ２を有する、第１の部分１８を延長する第１の小部分２０と、第１の小部分２０を延長し、固定脚６、９の孔を通して通すことができるように、第２の直径Ｄ２より小さい第３の直径Ｄ３を有する第２の小部分２１とを含む。【選択図】      図３
2005054783.tif 000002
【特許請求の範囲】
【請求項１】
ターボジェットエンジンのファンの羽根（２）のサポートディスク（１）のための羽根間プラットフォーム（３）であり、該プラットフォーム（３）が、少なくとも１本の第１の固定脚（６、９）を備えた下面（５）を有する偏向部分（４）を有し、該第１の固定脚は、隣接する２枚の羽根（２）間で前記サポートディスク（１）の第２の固定脚（１２、１５）に第１の固定脚を連結するための固定柱脚（８、１１）を通す少なくとも１つの孔（７、１０）を備えるプラットフォームであって、前記固定柱脚（８、１１）が、前記連結のためにナット（２２）を受けるように選択され適合された第１の直径（Ｄ１）を有するねじ切りされた第１の部分（１８）、および、第２の部分（１９）を備えたロッド（１７）を有し、該第２の部分（１９）が、前記第１の固定脚（６、９）と第２の固定脚（１２、１５）との間に差し挟むための、前記第１の直径（Ｄ１）より大きい第２の直径（Ｄ２）を有する、前記第１の部分（１８）を延長する第１の小部分（２０）と、該第１の小部分（２０）を延長し、前記第１の固定脚（６、９）の前記孔（７、１０）を通すことができるように、第２の直径（Ｄ２）より小さい第３の直径（Ｄ３）を有する第２の小部分（２１）とを含むことを特徴とするプラットフォーム。
【請求項２】
前記第２の直径（Ｄ２）が、前記固定柱脚（８、１１）が支えなければならないたわみ抵抗に応じて選択されることを特徴とする、請求項１に記載のプラットフォーム。
【請求項３】
前記第１の直径（Ｄ１）および第３の直径（Ｄ３）が、前記固定柱脚（８、１１）が支えなければならないせん断応力に応じて選択されることを特徴とする、請求項１または２に記載のプラットフォーム。
【請求項４】
第１の固定脚（６、９）の前記孔（７、１０）が、大きな値で前記第３の直径（Ｄ３）とほぼ等しい内径を有することを特徴とする、請求項１から３のいずれか一項に記載のプラットフォーム。
【請求項５】
第１の固定脚（６、９）の前記孔（７、１０）が、前記内径を画定する後付けされた要素（２３）を収納することを特徴とする、請求項４に記載のプラットフォーム。
【請求項６】
前記第１の直径（Ｄ１）と第３の直径（Ｄ３）が同じであることを特徴とする、請求項１から５のいずれか一項に記載のプラットフォーム。
【請求項７】
前記第１の直径（Ｄ１）と第３の直径（Ｄ３）が異なることを特徴とする、請求項１から５のいずれか一項に記載のプラットフォーム。
【請求項８】
前記ナット（２２）が、少なくとも局部的にほぼ平らな前記第２の固定脚（１２、１５）の第１の面に支持されるほぼ平らな支持面を有し、前記第１の小部分（２０）が、少なくとも局部的にほぼ平らな前記第２の固定脚（１２、１５）の第２の面および前記第１の固定脚（６、９）の第１の面にそれぞれ支持されるようなほぼ平らな第１および第２の支持面を画定することを特徴とする、請求項１から７のいずれか一項に記載のプラットフォーム。
【請求項９】
金属材料で製作されることを特徴とする、請求項１から８のいずれか一項に記載のプラットフォーム。
【請求項１０】
複合材料で製作されることを特徴とする、請求項１から８のいずれか一項に記載のプラットフォーム。
【請求項１１】
隣接する羽根対（２）の間にそれぞれ差し挟まれる、請求項１から１０のいずれか一項に記載の複数の羽根間プラットフォーム（３）を有することを特徴とする、羽根のサポートディスク（１）。
【発明の詳細な説明】
【技術分野】
【０００１】
本発明は、ターボジェットエンジン、とりわけターボジェットエンジンのファンの羽根（ａｕｂｅ）のサポートディスク（ｄｉｓｑｕｅ  ｄｅ  ｓｕｐｐｏｒｔ）のための羽根間（ｉｎｔｅｒ−ａｕｂｅｓ）プラットフォームの分野に関するものである。
【背景技術】
【０００２】
羽根が曲線でできた基部（ｐｉｅｄ）を有するターボジェットエンジンのファンは、一般に、羽根と羽根の間の空気の流れを最適化し、より厳密には、特に羽根が広翼弦型である場合に、羽根のレベルで内部「気流（ｖｅｉｎｅ）」の空気力学的プロファイルを再構成するために後付けされた羽根間プラットフォームを備えた、羽根のサポートディスクを有している。
【０００３】
後付けされたプラットフォームは、通常、固定柱脚（ｐｉｏｎ）を介して、サポートディスクの他の固定脚（ｐａｔｔｅ）に連結することができるような、少なくとも１本の（より一般的には２本または３本の）固定脚を備えた下面を有する偏向部分を有する。
【０００４】
固定柱脚は、通常、第１の直径を有するねじ切りされた第１の部分を備え、第１の直径より大きな第２の直径を有するヘッドを構成する第２の部分によって延在されるロッドの形をとる。固定脚同士を結びつけるためには、まず第１に、ナットで固定することにより、サポートディスクの固定脚へ固定柱脚が固定される。次に、前記柱脚のヘッドがプラットフォームの固定脚の孔の中に侵入するまで、固定した柱脚の方向にプラットフォームを滑らせる。こうして、柱脚のヘッドは、プラットフォームの固定脚の孔の中に、そこから突出するように収納される。こうした組み立て形態によって、ナットにアクセスすることが難しくなる。
【０００５】
後付けされたプラットフォームは遠心力を受けるので、各固定柱脚は、たわみ応力（ｃｏｎｓｔｒａｉｎｔｅ  ｄｅ  ｆｌｅｘｉｏｎ）およびせん断応力（ｃｏｎｓｔｒａｉｎｔｅ  ｄｅ  ｃｉｓａｉｌｌｅｍｅｎｔ）を受ける。ところで、固定柱脚の連結および配置の形態によって、ロッドのねじ切りされた部分だけが、同時にたわみおよびせん断を受ける。したがって、最も応力を受けるのは、最も小さい直径を有する、したがって最も抵抗（ｒｅｓｉｓｔａｎｃｅ）が小さい、固定柱脚の部分である。
【０００６】
柱脚の抵抗を改善するために、各部分の直径を大きくする方法が考えられるが、場所の問題から実際には不可能である。
【発明の開示】
【発明が解決しようとする課題】
【０００７】
したがって、本発明は、上述の不都合の全体または一部を解消する目的を有する。
【課題を解決するための手段】
【０００８】
そのために、本発明は、ターボジェットエンジンのファンの羽根のサポートディスクのための羽根間プラットフォームであって、隣接する２枚の羽根の間で、サポートディスクの第２の固定脚（またはフランジ）に、第１の固定脚を連結するための固定柱脚を通す少なくとも１つの孔を有する少なくとも１つの第１の固定脚（またはフランジ）を備えた、下面を有する偏向部分を有する羽根間プラットフォームを提案する。
【０００９】
このプラットフォームは、好ましくは、金属または複合材料で作製され、各固定柱脚が、連結のためにナットを受けるように、選択された第１の直径を有する第１のねじ切り部分と、第２の部分とを備えたロッドを有し、この第２の部分は、第１の直径より大きな第２の直径を有し、第１部分を延長する第１の小部分（ｓｏｕｓ−ｐａｒｔｉｅ）と、第１の固定脚の孔を通すことができるように、第２の直径より小さな第３の直径を有し、第１の小部分を延長する第２の小部分とを有する第２の部分とを備えることを特徴とする。
【００１０】
ロッドの第１の小部分は、このように第１の固定脚と第２の固定脚との間に挟まれ、その結果、たわみ応力を受ける。したがって、最大の直径を有するロッドの部分によってたわみ応力に耐え、他の２つの部分によってせん断応力に耐えることができることから、こうした構成は最適である。
【００１１】
さらに、ロッドの各部分の直径は、プラットフォームの環境に固有の応力に応じて選択することができる。
【００１２】
このようにして、ほぼ等しいまたは異なる第１および第３の直径を有するロッドの製作を考えることができる。
【００１３】
さらに、第１の固定脚の孔は、好ましくは、大きな値で（ｐａｒ  ｖａｌｅｕｒ  ｓｕｐｅｒｉｅｕｒｅ）第３の直径とほぼ等しい内径を有し、その結果、ロッドの第２の小部分は、第１の固定脚と密接に接触する。さらにこの接触を改善するために、第１の固定脚の孔は、内径を画定する後付けされた要素（またはスリーブあるいはまたインサート）を収納することができる。
【００１４】
本発明はまた、上述のタイプであって、隣接する羽根対の間にそれぞれ挟まれた多数の羽根間プラットフォームを有する羽根のサポートディスクを対象とする。
【００１５】
添付の図面を参照し、以下に実施の形態の詳細な説明することで、本発明の他の特徴および利点が明らかになるだろう。
【００１６】
添付図は、本発明を補足するだけでなく、場合によっては本発明の規定にも役立つものである。
【発明を実施するための最良の形態】
【００１７】
本発明は、曲線でできた基部をもつ羽根（「広翼弦型」羽根とも呼ばれる）を備えた、ターボジェットエンジンのファンのための羽根のサポートディスクを備える羽根間プラットフォームに関するものである。
【００１８】
図１に部分的に示されているように、羽根のサポートディスク１は、ロータのシャフトに取り付けられたファン（図示せず）の一要素であり、その要素に、曲線でできた基部を持つ多数の羽根２と、好ましくは金属製（たとえばアルミ製）または複合材料製の後付けされた多数の羽根間プラットフォーム３とが固定されている。
【００１９】
後付けされた各プラットフォーム３は、より厳密には、羽根のレベルで内部「気流」の空気力学的プロファイルを再構成することができるように、隣接する２枚の羽根２の間でサポートディスク１に設置される。
【００２０】
図２に概略的に示されているように、本発明によるプラットフォーム３は、少なくとも１本の固定脚を備えた下面５を有する偏向部分４を有する。例示された例においては、プラットフォーム３は、第１の固定柱脚８を通すための第１の孔７を備えた第１の固定脚（またはフランジ）６と、第２の固定柱脚１１を通すための第２の孔１０を備えた第２の固定脚（またはフランジ）９とを有する。
【００２１】
第１の固定柱脚８は、サポートディスク１の要素１３の第３の固定脚（またはフランジ）１２に第１の固定脚６を結びつけるためのものであり、この第３の固定脚には、そのために第３の孔１４が備えられている。同様に、第２の固定柱脚１１は、要素１３の第４の固定脚（またはフランジ）１５に第２の固定脚９を結びつけるためのもので、その第４の固定脚には、そのために第４の孔１６が備えられている。
【００２２】
図３に、より明確に図示されているように、各固定柱脚８または１１は、選択された第１の直径Ｄ１を有する、ねじ切りされた第１の部分１８と、第１の直径Ｄ１より大きな第２の直径Ｄ２を有する、ねじ切りされた第１の部分１８を延長し、第２の直径Ｄ２より小さい第３の直径Ｄ３を有する第２の小部分２１（またはヘッド）によって延長された、第１の小部分２０（またはカラー）を有する第２の部分１９（または隅切りされた（ｅｐａｕｌｅｅ）ヘッド）とを備えたロッド１７を有する。
【００２３】
各固定柱脚８および１１は、さらに、要素１３の固定脚１２または１５のいずれかに結合されるように、ロッド１７のねじ切りされた第１の部分２０にねじ止めされるナット２２を有する。
【００２４】
（たとえば第１の固定柱脚８の）ロッド１７のねじ切りされた第１の部分１８の第１の直径Ｄ１は、小さな値で（ｐａｒ  ｖａｌｅｕｒ  ｉｎｆｅｒｉｅｕｒｅ）要素１３の第３の固定脚１２の第３の孔１４の直径にほぼ等しい。さらに、（たとえば第１の固定柱脚８の）ロッド１７の第２の小部分２１の第３の直径Ｄ３は、小さな値でプラットフォーム１３の第１の固定脚６の第１の孔７の内径とほぼ等しい。
【００２５】
図示された例においては、第１の孔７は、第２の小部分２１（またはヘッド）が、それが受ける応力によってスリーブを損なうことがないように、好ましくは金属製のスリーブ（またはインサート）２３を収納する。
【００２６】
この構成によって、ロッド１７がいったん取り付けられると、第１の小部分２０は、要素１３の固定脚（たとえば第３の固定脚１２）の「前」（またはここでは左）面と、プラットフォーム３の固定脚（たとえば第１の固定脚６）の「後」（またはここでは右）面との間に挟まれている。より厳密には、第１の小部分２０（またはカラー）は、それぞれ（第３の）固定脚（１２）の前面および（第１の）固定脚（６）の後面とに支持されるような、ほぼ平らな第１および第２の支持面を画定し、それぞれの面は、少なくとも局部的にほぼ平らである。
【００２７】
同時に、ロッド１７のねじ切りされた第１の部分１８は、（第３の）固定脚（１２）の（第３の）孔（１４）を貫通し、後面側で外部に通じ、第２の小部分２１は、（第１の）固定脚（６）の（第１の）孔を貫通し、前面側で、外部にわずかに通じている。こうして、ロッド１７のねじ切りされた第１部分１８にねじ止めされたナット２２のほぼ平らな前面は、要素１３の（第３の）固定脚（１２）の後面に支持され、この後面は、少なくとも局部的にほぼ平らである。
【００２８】
プラットフォーム３は、主に、矢印Ｆで示されている遠心力を受け、したがって、本発明によって、たわみ応力を受けるのは、固定柱脚８および１１の第１の小部分２０（またはカラー）であると同時に、前記固定柱脚のねじ切りされた第１の部分１８および第２の小部分２１は、せん断応力を受ける。
【００２９】
最も強い応力に耐えるのが、ロッド１７において最大の直径（Ｄ２）を有する、第１の小部分２０（またはカラー）である以上、このことはとりわけ有利である。したがって、カラー２０の直径は、優先的にできるだけ最大に選択される。カラーの（柱脚の軸に沿った）厚みについても同様である。
【００３０】
さらに、本発明によれば、プラットフォーム３の環境に固有の応力に応じて、固定柱脚８および１１のロッド１７の直径（Ｄ１からＤ３）を選択することができる。このようにして、図２に示されているように、第１の直径Ｄ１と第３の直径Ｄ３とをほぼ等しくなるように選択することもできるし、あるいは図４に示されている変形形態において、せん断応力を十分に制御するために、第１の直径Ｄ１と第３の直径Ｄ３を別々に選択することもできる。
【００３１】
本発明は、あくまで例示的なものとして以上に説明した羽根のサポートディスクと羽根間プラットフォームの実施形態に限定されるわけではなく、特許請求の範囲の枠組みにおいて当業者が考えることができるようなあらゆる変形形態を含むものである。
【図面の簡単な説明】
【００３２】
【図１】羽根のサポートディスクの一部を概略的に示した正面図である。
【図２】本発明による羽根間プラットフォームの実施の例を概略的に示した中央断面図である。
【図３】図２のプラットフォームの一部を詳細に示した中央断面図である。
【図４】図３に示されたプラットフォームの部分の変形形態を示す図である。
【符号の説明】
【００３３】
１  サポートディスク
２  羽根
３  羽根間プラットフォーム
４  偏向部分
５  下面
６、９  第１の固定脚
７、１０  孔
８、１１  固定柱脚
１２、１５  第２の固定脚
１３  要素
１７  ロッド
１８  ねじ切りされた第１の部分
１９  第２の部分
２０  第１の小部分
２１  第２の小部分
２２  ナット
【図１】
2005054783.tif 000003
【図２】
2005054783.tif 000004
【図３】
2005054783.tif 000005
【図４】
2005054783.tif 000006